(57)【特許請求の範囲】
【請求項１】
筐体側の固定側ヒンジ部材と開閉体側の可動側ヒンジ部材とを備えた遊技機のヒンジ装置において、可動側ヒンジ部材がヒンジ軸を備え、固定側ヒンジ部材がヒンジ躯体と固定ガイドとレバーと弾性体とを備え、ヒンジ躯体が筐体に取り付けられ、ヒンジ躯体には延設部と除去部とが設けられ、延設部がヒンジ躯体の取り付けられた筐体よりも前方に突出した形状であり、除去部が延設部の一端部側及び前部側を除去した形状であり、固定ガイドにはガイド部と軸収容部とが設けられ、ガイド部が前方に固定ガイドの存在しない状態で開放されると共に一端部側から他端部側に行くに従って徐々に前方に突出する曲線状であり、軸収容部がガイド部の他端部に連なると共にガイド部側に開口する形状であり、空間確保部が固定ガイドとヒンジ躯体の延設部との間に配置された状態で固定ガイドがヒンジ躯体の下側に取り付けられることによりレバー収容空間がヒンジ躯体の除去部で開放された形状としてヒンジ躯体の延設部と固定ガイドとの間に形成されると共にレバー収容空間の後部に弾性体受止部が配置されかつレバー収容空間の前部にレバー受止部が配置され、レバーがレバー収容空間に配置されると共にレバーの一端部が延設部又は固定ガイドの少なくとも一方に設けられるレバー軸を回転中心として回転可能に取り付けられ、レバーの他端部には規制部が設けられ、規制部の外縁部がレバー軸を中心とする１つの円周上に配置され、レバーのレバー軸と規制部との間の前部には操作部が設けられ、弾性体がレバー収容空間において弾性体受止部とレバーの他端部側とにわたって配置されることによりレバーの他端部側を前方に付勢し、レバーの他端部が弾性体で前方に付勢されることによりレバーの規制部が固定ガイドにおける軸収容部のガイド部側の開口を閉鎖してレバー受止部に衝突すると共にレバーの操作部がヒンジ躯体の除去部と固定ガイドにおけるガイド部の上記除去部への対応部分とよりも前方に配置され、その状態において、可動側ヒンジ部材のヒンジ軸がヒンジ躯体の除去部の前方から固定ガイドにおけるガイド部の一端部側に接触されて他端部側に動かされるのに伴ってガイド部で誘導される過程においてレバーの他端部側を後方に押し、レバーの規制部がレバー軸を回転中心としかつ弾性体の弾力に抗して後方に移動し、更に、可動側ヒンジ部材のヒンジ軸が固定ガイドのガイド部に誘導されて他端部側に移動して固定ガイドの軸収容部に取り込まれてレバーの規制部を他端部側に超えると、弾性体の弾力によってレバーの規制部がレバー軸を回転中心として前方に移動し、当該レバーの規制部が前方に移動する過程において可動側ヒンジ部材のヒンジ軸が固定ガイドの軸収容部とレバーの規制部とで支持される一方、可動側ヒンジ部材のヒンジ軸が固定ガイドの軸収容部とレバーの規制部とで支持された状態において、ヒンジ躯体の除去部と固定ガイドにおけるガイド部の上記除去部への対応部分とよりも前方に配置されたレバーの操作部がヒンジ躯体の除去部の前方から弾性体の弾力に抗して後方に押されるように操作されることにより、レバーの規制部がレバー軸を回転中心として後方に移動して固定ガイドにおける軸収容部の開口を開放し、可動側ヒンジ部材のヒンジ軸が固定ガイドの軸収容部からガイド部側へと引き抜けることを特徴とする遊技機のヒンジ装置。
【発明の詳細な説明】
【技術分野】
【０００１】
本発明は、構造が簡単で操作がしやすい遊技機のヒンジ装置に関する。
【背景技術】
【０００２】
図７を参照し、特許文献１で開示された遊技機のヒンジ装置１について説明する。遊技機のヒンジ装置１は、固定側ヒンジ部材２；３がパチンコ機の例えば外枠と呼ばれる筐体５１に上下に分かれて取り付けられ、可動側ヒンジ部材４；５がパチンコ機の例えば前枠と呼ばれる開閉体５２に上下に分かれて取り付けられた状態において、固定側ヒンジ部材２；３と可動側ヒンジ部材４；５とが互いに嵌め込まれることによって、開閉体５２が筐体５１に装着される。
【０００３】
図８を参照し、上部の固定側ヒンジ部材２の構造について説明する。筐体５１に取り付けられるヒンジ躯体１１には、軸受部材４４が固定される。軸受部材４４には、軸収容部４５が設けられる。レバー１３がヒンジ躯体１１にレバー軸３１を回転中心として前後方向に揺動可能に取り付けられる。レバー１３には、ガイド部４６が設けられる。ヒンジ躯体１１とレバー１３とにわたって弾性体１４とストッパー機構４７とが設けられる。ストッパー機構４７は、ストッパーピン４８とストッパー孔４９とからなる。そして、レバー１３が弾性体１４で付勢され、ストッパーピン４８がストッパー孔４９の一端部で受け止められることによって、レバー１３が軸収容部４５を閉塞する。
【０００４】
図９を参照し、上部の可動側ヒンジ部材４のヒンジ軸４２が上部の固定側ヒンジ部材２に嵌め込まれる工程について詳述する。先ず、図９のＡ図に示すように、ストッパーピン４８がストッパー孔４９の一端部で受け止められ、レバー１３が軸収容部４５を閉塞した状態において、ヒンジ軸４２が矢印Ｘ１で示すようにレバー１３のガイド部４６に向かって進入する。
【０００５】
次に、図９のＢ図に示すように、ヒンジ軸４２がガイド部４６に接触してレバー１３を後側に押すと、レバー１３がレバー軸３１を回転中心として弾性体１４を蓄勢させつつ後方に移動する。そして、図９のＣ図に示すように、ヒンジ軸４２の進入が進行してガイド部４６の先端部に到達すると、ストッパーピン４８がストッパー孔４９の他端部で受け止められ、ガイド部４６の先端部が軸収容部４５の開口の一端と整合する。
【０００６】
更に、図９のＤ図に示すように、ヒンジ軸４２がガイド部４６から軸収容部４５に取り込まれるのに伴って、レバー１３が弾性体１４の弾力でレバー軸３１を回転中心として前方に移動した後、レバー１３が図９のＡ図に示す初期状態に戻ってヒンジ軸４２を軸収容部４５に回転可能に支持する。
【０００７】
図１０を参照し、パチンコ機の筐体５１と開閉体５２とがヒンジ装置１で互いに連結された状態において、開閉体５２を筐体５１から取り外す場合について説明すると、人が指を上部の固定側ヒンジ部材２のヒンジ躯体１１と上部の可動側ヒンジ部材４；５のヒンジ躯体１１との間の隙間の奥に入れて、レバー１３の一端部に設けられた操作部を前方に引き出す。そして、図９のＣ図に示すように、ストッパーピン４８をストッパー孔４９の他端部で受け止めさせ、ガイド部４６の先端部を軸収容部４５の開口の一端と整合させた状態を、上記操作部を操作した人が保持したまま開閉体５２の上部を前方に移動するのに伴って、ヒンジ軸４２が軸収容部４５からガイド部４６に移動して開閉体５２を筐体５１から取り外す。
【０００８】
以上のように特許文献１で開示された遊技機のヒンジ装置１は、ガイド部４６がレバー１３に設けられた構造、つまり、ガイド部４６がレバー軸３１を回転中心として前後方向に移動する構造であるので、レバー１３の移動範囲を規制するストッパー機構４７が必要であるという欠点がある。しかも、開閉体５２を筐体５１から取り外す場合には、人が指を上部の固定側ヒンジ部材２のヒンジ躯体１１と上部の可動側ヒンジ部材４；５のヒンジ躯体１１との間の隙間の奥に入れて、レバー１３の一端部に設けられた操作部を前方に引き出さなければならず、操作性が悪いという欠点がある。
【先行技術文献】
【特許文献】
【０００９】
【特許文献１】特許第３６００６５１号公報
【発明の概要】
【発明が解決しようとする課題】
【００１０】
発明が解決しようとする課題は、レバーの移動範囲を規制するストッパー機構が必要であるうえ、開閉体を取り外す場合にレバーの操作性が悪いという点である。
【課題を解決するための手段】
【００１１】
本発明は、筐体側の固定側ヒンジ部材と開閉体側の可動側ヒンジ部材とを備えた遊技機のヒンジ装置において、可動側ヒンジ部材がヒンジ軸を備え、固定側ヒンジ部材がヒンジ躯体と固定ガイドとレバーと弾性体とを備え、ヒンジ躯体が筐体に取り付けられ、ヒンジ躯体には延設部と除去部とが設けられ、延設部がヒンジ躯体の取り付けられた筐体よりも前方に突出した形状であり、除去部が延設部の一端部側及び前部側を除去した形状であり、固定ガイドにはガイド部と軸収容部とが設けられ、ガイド部が前方に固定ガイドの存在しない状態で開放されると共に一端部側から他端部側に行くに従って徐々に前方に突出する曲線状であり、軸収容部がガイド部の他端部に連なると共にガイド部側に開口する形状であり、空間確保部が固定ガイドとヒンジ躯体の延設部との間に配置された状態で固定ガイドがヒンジ躯体の下側に取り付けられることによりレバー収容空間がヒンジ躯体の除去部で開放された形状としてヒンジ躯体の延設部と固定ガイドとの間に形成されると共にレバー収容空間の後部に弾性体受止部が配置されかつレバー収容空間の前部にレバー受止部が配置され、レバーがレバー収容空間に配置されると共にレバーの一端部が延設部又は固定ガイドの少なくとも一方に設けられるレバー軸を回転中心として回転可能に取り付けられ、レバーの他端部には規制部が設けられ、規制部の外縁部がレバー軸を中心とする１つの円周上に配置され、レバーのレバー軸と規制部との間の前部には操作部が設けられ、弾性体がレバー収容空間において弾性体受止部とレバーの他端部側とにわたって配置されることによりレバーの他端部側を前方に付勢し、レバーの他端部が弾性体で前方に付勢されることによりレバーの規制部が固定ガイドにおける軸収容部のガイド部側の開口を閉鎖してレバー受止部に衝突すると共にレバーの操作部がヒンジ躯体の除去部と固定ガイドにおけるガイド部の上記除去部への対応部分とよりも前方に配置され、その状態において、可動側ヒンジ部材のヒンジ軸がヒンジ躯体の除去部の前方から固定ガイドにおけるガイド部の一端部側に接触されて他端部側に動かされるのに伴ってガイド部で誘導される過程においてレバーの他端部側を後方に押し、レバーの規制部がレバー軸を回転中心としかつ弾性体の弾力に抗して後方に移動し、更に、可動側ヒンジ部材のヒンジ軸が固定ガイドのガイド部に誘導されて他端部側に移動して固定ガイドの軸収容部に取り込まれてレバーの規制部を他端部側に超えると、弾性体の弾力によってレバーの規制部がレバー軸を回転中心として前方に移動し、当該レバーの規制部が前方に移動する過程において可動側ヒンジ部材のヒンジ軸が固定ガイドの軸収容部とレバーの規制部とで支持される一方、可動側ヒンジ部材のヒンジ軸が固定ガイドの軸収容部とレバーの規制部とで支持された状態において、ヒンジ躯体の除去部と固定ガイドにおけるガイド部の上記除去部への対応部分とよりも前方に配置されたレバーの操作部がヒンジ躯体の除去部の前方から弾性体の弾力に抗して後方に押されるように操作されることにより、レバーの規制部がレバー軸を回転中心として後方に移動して固定ガイドにおける軸収容部の開口を開放し、可動側ヒンジ部材のヒンジ軸が固定ガイドの軸収容部からガイド部側へと引き抜けることを特徴とする。
【発明の効果】
【００１２】
本発明に係る遊技機のヒンジ装置は、ガイド部が固定ガイドに設けられたことによってガイド部が前後方向に移動しない構造であるので、レバーの一端部を回転中心とする前後方向への移動範囲を規制するストッパー機構が不要になる。しかも、可動側ヒンジ部材のヒンジ軸が軸収容部とレバーとで回転可能に支持された状態において、レバーが後方に押されて軸収容部を開放したたま、ヒンジ軸が軸収容部からガイド部へと引き抜かれることによって、ヒンジ軸と固定側ヒンジ部材との嵌め合いが解除される構造であるので、ヒンジ軸と固定側ヒンジ部材との嵌め合いの解除に対する操作性がよくなる。
【図面の簡単な説明】
【００１３】
【図１】実施の形態１のヒンジ装置を示す分解図。
【図２】実施の形態１のヒンジ装置を示す縦断面図
【図３】実施の形態１のヒンジ装置の作用を示す工程図。
【図４】実施の形態１のパチンコ遊技機を示す分解図。
【図５】実施の形態２のヒンジ装置を示す分解図。
【図６】実施の形態３の固定ガイドを示す斜視図。
【図７】従来のパチンコ遊技機を示す分解図。
【図８】従来の固定側ヒンジ部材を示す斜視図。
【図９】従来のヒンジ装置の作用を示す工程図。
【図１０】従来のヒンジ装置を示す正面図。
【発明を実施するための形態】
【００１４】
「実施の形態１」
本明細書における「前」、「後」、「左」、「右」、「上」、「下」の方向は、図４の状態にパチンコ遊技機を置いて矢印Ｓで示す前側から見た場合に特定される方向である。
【００１５】
図４を参照し、遊技機についてパチンコ遊技機を例として説明する。パチンコ遊技機の遊技機枠は、外枠なる筐体５１に本体枠なる開閉体５２をヒンジ装置１で開閉可能に取り付ける構造である。開閉体５２には遊技盤５３及び図外の制御装置や図外の賞球払出機構が装着される。開閉体５２の前部には、前扉５４が図外のヒンジで開閉可能に取り付けられる。前扉５４が閉じられた場合、遊技盤５３の前面が前扉５４の窓ガラスのような透明体５５を通して視認可能となる。前扉５４又は開閉体５２には、球受皿５６、球発射操作機構５７、球貯蔵皿５８が設けられる。
【００１６】
ヒンジ装置１は、筐体５１に設けられる固定側ヒンジ部材２；３と開閉体５２に設けられる可動側ヒンジ部材４；５とを備える。そして、固定側ヒンジ部材２；３と可動側ヒンジ部材４；５とが互いに嵌め込まれることによって、開閉体５２が筐体５１の前部に前後方向に片開き可能となるように装着される。ヒンジ装置１の特徴は、可動側ヒンジ部材４のヒンジ軸４２を誘導する固定ガイド１２が固定側ヒンジ部材２に設けられた構造である。その特徴的な構造については、図１乃至図３で説明する。
【００１７】
図１を参照し、ヒンジ装置１を構成する部品について説明する。固定側ヒンジ部材２は、ヒンジ躯体１１、固定ガイド１２、レバー１３、弾性体１４を備える。ヒンジ躯体１１は、筐体５１に取り付けられる部材であって、２つの取付片１５；１６を備える。２つの取付片１５；１６は、互いに直角に交差して１つの隅部を形成する。
【００１８】
取付片１５が筐体５１の上横片６１の左上外側に螺子釘のような固定具１７で固定され、取付片１６が筐体５１の左縦片６２の左上外側に図外の螺子釘のような固定具で固定される。これによって、ヒンジ躯体１１が筐体５１に取り付けられて筐体５１の上横片６１と左縦片６２とを互いに分離しないように支持する。
【００１９】
取付片１５の前部には、延設部２１が設けられる。延設部２１は、筐体５１よりも前方に突出し、取付孔２２、除去部２３、レバー受止部２４、軸挿入孔２５を備える。レバー受止部２４は、延設部２１の前部から下方に突出する。
【００２０】
固定ガイド１２は、ヒンジ躯体１１の下側に取り付けられる部材であって、ガイド部２７、軸収容部２８、弾性体受止部２９、空間確保部３０、レバー軸３１、取付孔３２を備える。ガイド部２７は、前方に開放されてヒンジ軸４２を横方向に誘導する部分として、右部から左方に行くに従って徐々に前方に突出する曲線状を形成する。軸収容部２８は、ガイド部２７の左端部で平面視左方に窪む半円形を形成する。
【００２１】
レバー１３は、ヒンジ躯体１１と固定ガイド１２との間に右部を回転中心として前後方向に移動可能に配置される部材であって、軸受孔３４、逃避部３５、規制部３６、操作部３７を備える。軸受孔３４は、レバー１３の一端部としての右部に上下方向への貫通孔として設けられる。逃避部３５は、前方に開放された凹部としてレバー１３の前部に設けられる。規制部３６は、レバー１３の他端部としての左部に設けられる。規制部３６の外縁部３８は、軸受孔３４を中心とする１つの円周上に配置される。
【００２２】
弾性体１４の一端部がレバー１３の後部に係留され、弾性体１４の他端部が固定ガイド１２の弾性体受止部２９に係留されることによって、弾性体１４はレバー１３の規制部３６の側を前方に弾力で付勢する。
【００２３】
固定側ヒンジ部材２が組み立てられる場合、先ず、レバー軸３１と軸受孔３４とが互いに嵌め合わされ、弾性体１４がレバー１３と弾性体受止部２９との間に配置され、弾性体１４の一端部がレバー１３の後部に係留され、弾性体１４の他端部が弾性体受止部２９に係留される。
【００２４】
次に、レバー１３がレバー受止部２４よりも後方に位置する状態に保持され、固定ガイド１２が延設部２１の下側に配置され、レバー軸３１のレバー１３よりも上方に突出した上部が軸挿入孔２５に挿入される。このようにレバー軸３１の上下部が固定ガイド１２と延設部２１とで支持されると、ヒンジ軸３１はふらつかないという利点がある。
【００２５】
そして、空間確保部３０が延設部２１の下面に接触することによって、固定ガイド１２と延設部２１との間に図２に示すレバー収容空間４０が形成される。レバー収容空間４０は、レバー１３を前後方向に移動可能に収容する空間である。
【００２６】
図１に戻り、その後、固定具３９が取付孔２２；３２に渡って装着されてヒンジ躯体１１と固定ガイド１２とを互いに結合する。これによって、レバー１３が図２に示すようにレバー収容空間４０に収容された態様となる。
【００２７】
図１において、可動側ヒンジ部材４は、開閉体５２の左上部に取り付けられるヒンジ躯体４１と、ヒンジ躯体４１に設けられるヒンジ軸４２とを備える。ヒンジ軸４２は、ヒンジ躯体４１よりも上方に突出する。
【００２８】
図３を参照し、遊技機のヒンジ装置１の動作として、ヒンジ軸４２が固定側ヒンジ部材２に嵌め込まれる工程について説明する。図３のＡ図では、弾性体１４で付勢されたレバー１３が軸受孔３４に嵌め込まれたレバー軸３１を回転中心として前方に移動し、規制部３６がレバー受止部２４で受け止められ、逃避部３５がガイド部２７の右端部よりも後方に配置され、規制部３６が軸収容部２８の左側の開口を閉鎖し、操作部３７がガイド部２７の右端部よりも前方に配置されている。その状態において、ヒンジ軸４２が仮想線で示す位置から実線で示す位置に移動してガイド部２７の右端部に前方から接触する。
【００２９】
次に、図３のＢ図において、ヒンジ軸４２が左方に動かされるのに伴ってガイド部２７で誘導されつつ仮想線で示す位置から実線で示す位置に移動する過程において逃避部３５と規制部３６とを相互に繋ぐ縁部を後方に押し、レバー１３がレバー軸３１を回転中心としかつ弾性体１４の弾力に抗して後方に移動する。
【００３０】
更に、ヒンジ軸４２が図３のＢ図に実線で示す位置からガイド部２７に誘導されつつ左方に移動して軸収容部２８に取り込まれて規制部３６を左側に超えると、弾性体１４の弾力によってレバー１３がレバー軸３１を回転中心として前方に移動する。
【００３１】
そして、図３のＣ図に示すように、規制部３６の外縁部３８がレバー軸３１を中心とする１つの円周上に配置されているので、レバー１３がレバー軸３１を回転中心として前方に移動する過程において、ヒンジ軸４２が軸収容部２８とレバー１３とで回転可能に支持され、規制部３６が軸収容部２８の左側の開口を閉鎖してレバー受止部２４に衝突する。
【００３２】
以上のように実施の形態１に係るヒンジ装置１は、ガイド部２７が固定ガイド１２に設けられた構造、つまり、ガイド部２７が前後方向に移動しない構造であるので、レバー１３の一端部のレバー軸３１を回転中心とする前後方向への移動範囲を規制するストッパー機構が不要になるという利点がある。
【００３３】
しかも、図３のＣ図に示すように、ヒンジ軸４２が軸収容部２８とレバー１３とで回転可能に支持された状態において、開閉体５２（図１参照）が筐体５１（図１参照）から取り外される場合には、図３のＣ図において、レバー１３のガイド部２７や除去部２３よりも前方に位置する操作部３７を人が指で後方に押す。そして、レバー１３の他端部の規制部３６が軸収容部２８よりも後方に位置されて軸収容部２８の左側の開口を開放したまま、ヒンジ軸４２が軸収容部２８からガイド部２７へと引き抜かれることによって、ヒンジ軸４２と固定側ヒンジ部材２との嵌め合いが解除される。
【００３４】
以上のように実施の形態１に係るヒンジ装置１は、ヒンジ軸４２が軸収容部２８とレバー１３とで回転可能に支持された場合、人がレバー１３を後方に押すだけでよいので、操作性がよいという利点がある。
【００３５】
「実施の形態２」
図５を参照し、実施の形態２に係る固定側ヒンジ部材２について説明する。レバー受止部２４が平面視円弧状に形成され、弾性体１４がコイルばねにより構成され、空間確保部３０が固定ガイド１２の左部及び後部に設けられた構造が図１に示す実施の形態１に相違する。
【００３６】
「実施の形態３」
図６を参照し、実施の形態２に係る固定側ヒンジ部材２について説明する。レバー受止部３３が固定ガイド１２に設けられている。これによって、図１や図４に示すレバー受止部２４が固定側ヒンジ部材２から除去されてもよく、レバー受止部２４が除去されれば、固定側ヒンジ部材２の構造が簡素になる。
【００３７】
図１及び図２において、レバー受止部２４が固定ガイド１２に設けられてもよく、軸挿入孔２５は設けられなくてもよく、空間確保部３０が延設部２１に設けられてもよく、空間確保部３０が固定ガイド１２又は延設部２１から分離された部品として構成されてもよく、レバー軸３１がレバー１３又は延設部２１に設けられてもよく、レバー軸３１が固定ガイド１２又はレバー１３又は延設部２１から分離された部品として構成されてもよく、弾性体１４がゴムで構成されてもよい。弾性体１４がレバー１３の規制部３６を前側に押して停止する位置を調整するように弾性体１４の形状を形成すれば、図１のレバー受止部２４又は図６のレバー受止部３３が設けられていない構造でもよい。
【００３８】
ヒンジ装置１の用いられる遊技機は、パチンコ遊技機に限定されるものではなく、パチンコ遊技機以外のスロットマシンのような遊技機にも用いられてもよい。構造が複雑になるものの、レバーの移動範囲を規制するストッパー機構がヒンジ躯体１１とレバー１３とに又は固定ガイド１２とレバー１３とにわたって設けられてもよい。
【符号の説明】
【００３９】
１はヒンジ装置、２；３は固定側ヒンジ部材、４；５は可動側ヒンジ部材、６乃至１０は欠番、１１はヒンジ躯体、１２は固定ガイド、１３はレバー、１４は弾性体、１５；１６は取付片、１７は固定具、１８乃至２０は欠番、２１は延設部、２２は取付孔、２３は除去部、２４はレバー受止部、２５は軸挿入孔、２６は欠番、２７はガイド部、２８は軸収容部、２９は弾性体受止部、３０は空間確保部、３１はレバー軸、３２は取付孔、３３はレバー受止部、３４は軸受孔、３５は逃避部、３６は規制部、３７は操作部、３８は外縁部、３９は固定具、４０はレバー収容空間、４１はヒンジ躯体、４２はヒンジ軸、５０は欠番、５１は筐体、５２は開閉体、５３は遊技盤、５４は前扉、５５は透明体、５６は球受皿、５７は球発射操作機構、５８は球貯蔵皿、５９；６０は欠番、６１は上横片、６２は左縦片。
【図１】
0005416508.tif 000002
【図２】
0005416508.tif 000003
【図３】
0005416508.tif 000004
【図４】
0005416508.tif 000005
【図５】
0005416508.tif 000006
【図６】
0005416508.tif 000007
【図７】
0005416508.tif 000008
【図８】
0005416508.tif 000009
【図９】
0005416508.tif 000010
【図１０】
0005416508.tif 000011